(57)【特許請求の範囲】
【請求項１】
柱の間に架設されて架構を構成する上下の水平部材の間に、上下方向に間隔を空けて設けられた複数の横木材と、
前記横木材の表裏面側にそれぞれ配置され、該横木材と格子状に連結された複数の縦木材と、
前記横木材及び前記縦木材によって該横木材の表裏面側にそれぞれ形成された格子枠に取り付けられたパネル材と、
を備え、
前記パネル材は、その外周部が前記横木材の側面に形成された段部と前記縦木材の側面に形成された段部との間で把持された状態で前記格子枠に取り付けられる、
木製壁。
【発明の詳細な説明】
【技術分野】
【０００１】
本発明は、木製壁に関する。
【背景技術】
【０００２】
従来から、複数の縦鋼材と、これらの縦鋼材と格子状に連結された複数の横鋼材と、縦鋼材及び横鋼材によって形成された格子枠に設けられた鋼板とを備えた鋼製の耐力壁（補強壁）が知られている（例えば、特許文献１，２）。
【先行技術文献】
【特許文献】
【０００３】
【特許文献１】特開２００８−８８６３２号公報
【特許文献２】特開２００７−１６５４７号公報
【発明の概要】
【発明が解決しようとする課題】
【０００４】
ところで、間仕切り壁や意匠壁、耐力壁等を木材で形成することが考えられる。しかしながら、木材では、十分な剛性を確保することが困難な場合がある。
【０００５】
本発明は、上記の事実を考慮し、剛性を向上することができる木製壁を得ることを目的とする。
【課題を解決するための手段】
【０００６】
請求項１に記載に木製壁は、柱の間に架設されて架構を構成する上下の水平部材の間に、上下方向に間隔を空けて設けられた複数の横木材と、前記横木材の表裏面側にそれぞれ配置され、該横木材と格子状に連結された複数の縦木材と、前記横木材及び前記縦木材によって該横木材の表裏面側にそれぞれ形成された格子枠に取り付けられたパネル材と、を備え、前記パネル材は、その外周部が前記横木材の側面に形成された段部と前記縦木材の側面に形成された段部との間で把持された状態で前記格子枠に取り付けられている。
【０００７】
請求項１に係る木製壁によれば、複数の横木材の表裏面側に複数の縦木材がそれぞれ配置されている。複数の横木材と複数の縦木材とは格子状に連結されており、これらの横木材及び縦木材によって横木材の表裏面側に格子枠がそれぞれ形成されている。これらの格子枠にパネル材が取り付けられている。パネル材は、その外周部が横木材の側面に形成された段部と縦木材の側面に形成された段部との間で把持された状態で格子枠に取り付けられている。
【０００８】
このように本発明では、複数の横木材の表裏面側に複数の縦木材をそれぞれ配置したことにより、木製壁の軸剛性が向上する。また、横木材の表裏面側にそれぞれ形成された格子枠の各々にパネル材を取り付けることができるため、木製壁のせん断剛性を向上させることができる。
【発明の効果】
【０００９】
本発明は、上記の構成としたので、木製壁の剛性を向上することができる。
【図面の簡単な説明】
【００１０】
【図１】本発明の一実施形態に係る木製壁を示す正面図である。
【図２】（Ａ）は図１の２−２線断面図であり、（Ｂ）は図２（Ａ）に相当する分解断面図である。
【図３】（Ａ）は図１の３−３線断面図であり、（Ｂ）は図３（Ａ）に相当する分解断面図である。
【図４】図１の４−４線断面図である。
【図５】（Ａ）は本発明の一実施形態に係る木製壁の変形例を示す拡大正面図であり、（Ｂ）は図５（Ａ）の５Ｂ−５Ｂ線断面図である。
【図６】（Ａ）は本発明の一実施形態に係る木製壁の変形例を示す拡大正面図であり、（Ｂ）は図６（Ａ）の６Ｂ−６Ｂ線断面図である。
【発明を実施するための形態】
【００１１】
以下、図面を参照しながら、本発明の一実施形態に係る木製壁について説明する。なお、各図において、適宜示される矢印Ｈは木製壁の高さ方向（上下方向）を示し、矢印Ｗは木製壁の幅方向を示し、矢印Ｄは木製壁の厚さ方向（面外方向）を示している。
【００１２】
先ず、本実施形態に係る木製壁の概略構成について説明する。
【００１３】
図１には、本実施形態に係る木製壁１０が示されている。木製壁１０は、水平部材としての上下の梁１２の間に、梁１２の長手方向を幅方向（矢印Ｗ方向）として配置されており、その上端部及び下端部がガセットプレート１４を介して上下の梁１２に接合されている。上下の梁１２はＨ形鋼で形成されており、図示しない一対の柱間に架設されてこれらの柱と共に架構（ラーメン架構）を構成している。
【００１４】
木製壁１０は、複数の横木材２０と、縦木材としての複数の第１縦木材３０Ｘと、縦木材としての複数の第２縦木材３０Ｙ（図２（Ａ）参照）と、パネル材としての複数の第１パネル材４０Ｘと、パネル材としての複数の第２パネル材４０Ｙ（図２（Ａ）参照）とを備えている。
【００１５】
複数の横木材２０は、木製壁１０の幅方向を長手方向とすると共に、木製壁１０の高さ方向（矢印Ｈ方向）に所定の間隔を空けて配置されている。これらの横木材２０の一方の側面（表面）２０Ｓ１側には、複数の第１縦木材３０Ｘが配置されている。これらの第１縦木材３０Ｘは、木製壁１０の高さ方向を長手方向とすると共に、木製壁１０の幅方向に所定の間隔を空けて配置されている。これらの横木材２０と第１縦木材３０Ｘとは格子状に連結されている。これにより、木製壁１０の表面側に、横木材２０及び第１縦木材３０Ｘで囲まれた複数の第１格子枠４２Ｘが形成されている。これらの第１格子枠４２Ｘには、矩形板状の第１パネル材４０Ｘが適宜取り付けられている。なお、第１パネル材４０Ｘが取り付けられていない第１格子枠４２Ｘは、開口４４とされている。
【００１６】
一方、図２（Ａ）及び図３（Ａ）に示されるように、複数の横木材２０の他方の側面（裏面）２０Ｓ２側には、複数の第２縦木材３０Ｙが配置されている。複数の第２縦木材３０Ｙは、木製壁１０の高さ方向を長手方向とすると共に、第１縦木材３０Ｘの各々と対向するように木製壁１０の幅方向に所定の間隔を空けて配置されている。つまり、複数の第２縦木材３０Ｙは、横木材２０を挟んで複数の第１縦木材３０Ｘの各々と対向して配置されている。これらの横木材２０と第２縦木材３０Ｙとは格子状に連結されている。これにより、木製壁１０の裏面側に、横木材２０及び第２縦木材３０Ｙで囲まれた複数の第２格子枠４２Ｙが形成されている。これらの第２格子枠４２Ｙには、矩形板状の第２パネル材４０Ｙが適宜取り付けられている。なお、第１パネル材４０Ｘが取り付けられていない第２格子枠４２Ｙは、開口４４とされている。
【００１７】
次に、本実施形態に係る木製壁を構成する主要部材の構成について詳説する。
【００１８】
図２（Ｂ）に示されるように、横木材２０の一方の側面２０Ｓ１には、複数の横木側切欠き部２２Ｘが形成されている。これらの横木側切欠き部２２Ｘは、横木材２０の長手方向に所定の間隔を空けて形成されている。また、各横木側切欠き部２２Ｘは、その側壁に形成された段部２２Ａと、段部２２Ａよりも底壁側に形成された底側切欠き部２２Ｂと、段部２２Ａよりも横木材２０の側面２０Ｓ１側に形成され、底側切欠き部２２Ｂよりも開口幅が広い開口側切欠き部２２Ｃとを有している。
【００１９】
横木材２０の上面２０Ｕにおける側面２０Ｓ１側の端部には、第１パネル材４０Ｘの下端部を支持するパネル支持部２４Ｘが形成されている。パネル支持部２４Ｘは、隣接する横木側切欠き部２２Ｘに渡って形成されており、底面２４Ａと、横木材２０の長手方向に延びると共に底面２４Ａと横木材２０の上面２０Ｕとの間に段差を形成する段部２４Ｂとを有している。この段部２４Ｂに第１パネル材４０Ｘの下端部が係止されるようになっている。
【００２０】
これと同様に、図３（Ｂ）に示されるように、横木材２０の下面２０Ｌにおける側面２０Ｓ１側の端部には、第１パネル材４０Ｘの上端部を支持するパネル支持部２６Ｘが形成されている。このパネル支持部２６Ｘの構成はパネル支持部２４Ｘの構成と同じとされており、底面２６Ａと、横木材２０の長手方向に延びると共に底面２６Ａと横木材２０の下面２０Ｌとの間に段差を形成する段部２６Ｂとを有している。この段部２６Ｂに第１パネル材４０Ｘの上端部が係止されるようになっている。
【００２１】
一方、図２（Ｂ）に示されるように、横木材２０の他方の側面２０Ｓ２には、複数の横木側切欠き部２２Ｙが形成されている。これらの横木側切欠き部２２Ｙは、横木材２０の一方の側面２０Ｓ１に形成された各横木側切欠き部２２Ｘと向かい合うように形成されている。また、図３（Ｂ）に示されるように、横木材２０の側面２０Ｓ２の端部における上面２０Ｕ及び下面２０Ｌには、第２パネル材４０Ｙを支持するパネル支持部２４Ｙ，２６Ｙがそれぞれ形成されている。これらの横木側切欠き部２２Ｙ、及びパネル支持部２４Ｙ，２６Ｙは、横木側切欠き部２２Ｘ及びパネル支持部２４Ｘ，２６Ｘと同じ構成とされている。
【００２２】
ここで、横木材２０の一方の側面２０Ｓ１側には第１縦木材３０Ｘが配置されており、横木材２０の他方の側面２０Ｓ２側には第２縦木材３０Ｙが配置されている。これらの第１縦木材３０Ｘ及び第２縦木材３０Ｙの構成は同じとされており、横木材２０の材軸に対して線対称に配置されている。なお、以下では、第１縦木材３０Ｘの構成について説明し、第２縦木材３０Ｙの構成の説明は適宜省略する。
【００２３】
図２（Ｂ）に示されるように、第１縦木材３０Ｘの一方の側面３０Ｓ１における横木材２０側には、第１パネル材４０Ｘの側端部を支持するパネル支持部３６が形成されている。パネル支持部３６は、第１縦木材３０Ｘの長手方向の全長に渡って形成されており、底面３６Ａと、第１縦木材３０Ｘの長手方向に延びると共に底面３６Ａと第１縦木材３０Ｘの側面３０Ｓ１との間に段差を形成する段部３６Ｂとを有している。これと同様に、第１縦木材３０Ｘの他方の側面３０Ｓ２における横木材２０側には、パネル支持部３６が形成されている。これらのパネル支持部３６の段部３６Ｂに第１パネル材４０Ｘの各側端部が係止されるようになっている。
【００２４】
また、図３（Ｂ）に示されるように、横木材２０の側面２０Ｓ１と対向する第１縦木材３０Ｘの対向面３０Ｔには、複数の縦木側切欠き部３２が形成されている。複数の縦木側切欠き部３２は、第１縦木材３０Ｘの長手方向に所定の間隔を空けて形成されている。これらの縦木側切欠き部３２と横木材２０の側面２０Ｓ１に形成された横木側切欠き部２２Ｘの底側切欠き部２２Ｂ（図２（Ｂ）参照）とを互いに嵌め合わせることにより、第１縦木材３０Ｘと横木材２０とが連結されると共に、連結された第１縦木材３０Ｘ及び横木材２０によって横木材２０の一方の側面２０Ｓ１側に第１格子枠４２Ｘが形成されている。
【００２５】
また、縦木側切欠き部３２と横木側切欠き部２２Ｘの底側切欠き部２２Ｂとを互いに嵌め合わせたときに、横木側切欠き部２２Ｘの開口側切欠き部２２Ｃ内に縦木材３０Ｘの側面３０Ｓ１，３０Ｓ２が挿入されると共に、パネル支持部２４Ｘ，２６Ｘの段部２４Ｂ，２６Ｂに対し、パネル支持部３６の段部３６Ｂが対向するようになっている。これらの段部２４Ｂ，２６Ｂと段部３６Ｂとの間で第１パネル材４０Ｘの外周部を把持することにより、第１格子枠４２Ｘに第１パネル材４０Ｘが固定されている。
【００２６】
これと同様に、第２縦木材３０Ｙの縦木側切欠き部３２と横木材２０の側面２０Ｓ２に形成された横木側切欠き部２２Ｙの底側切欠き部２２Ｂとを互いに嵌め合わせることにより、第２縦木材３０Ｙと横木材２０とが連結されると共に、連結された第２縦木材３０Ｙ及び横木材２０によって横木材２０の他方の側面２０Ｓ２側に第２格子枠４２Ｙが形成されている。これらの第２格子枠４２Ｙに、第２パネル材４０Ｙが適宜取り付けられている。
【００２７】
なお、図１に示されるように、第１縦木材３０Ｘ及び第２縦木材３０Ｙと横木材２０との連結部（交差部）は、座金５４を介してボルト５０及びナット５２によって適宜連結されている。
【００２８】
図４に示されるように、木製壁１０の上端部を構成する横木材６０は、幅方向の中央部で２つの横材６０Ａ，６０Ｂに分割されており、これらの横材６０Ａ，６０Ｂの間にガセットプレート１４が配置されている。このガセットプレート１４は、ボルト５０及びナット５２によって横材６０Ａ，６０Ｂ、第１縦木材３０Ｘ、及び第２縦木材３０Ｙと連結されている。また、ガセットプレート１４の上端部は、梁１２の下側のフランジ部１２Ｆに溶接等で接合されている。これにより、木製壁１０の上端部が梁１２と接合されている。これと同様に、図１に示されるように、木製壁１０の下端部は、ガセットプレート１４を介して下の梁１２に接合されている。
【００２９】
次に、本実施形態の作用について説明する。
【００３０】
本実施形態に係る木製壁１０によれば、複数の横木材２０の側面２０Ｓ１側に複数の第１縦木材３０Ｘが配置されると共に、複数の横木材２０の側面２０Ｓ２側に複数の第２縦木材３０Ｙが配置されている。これらの横木材２０と第１縦木材３０Ｘとは格子状に連結されている。これにより、木製壁１０の表面側に、横木材２０と第１縦木材３０Ｘとで囲まれた複数の第１格子枠４２Ｘが形成されており、これらの第１格子枠４２Ｘに第１パネル材４０Ｘが適宜取り付けられている。これと同様に、複数の横木材２０と複数の第２縦木材３０Ｙとは格子状に連結されている。これにより、木製壁１０の裏面側に、横木材２０と第２縦木材３０Ｙとで囲まれた複数の第２格子枠４２Ｙが形成されており、これらの第２格子枠４２Ｙに第２パネル材４０Ｙが適宜取り付けられている。
【００３１】
このように本実施形態に係る木製壁１０では、横木材２０の両方の側面２０Ｓ１，２０Ｓ２側に第１縦木材３０Ｘ及び第２縦木材３０Ｙをそれぞれ設けたことにより、横木材２０の一方の側面２０Ｓ１（又は側面２０Ｓ２）側にのみ第１縦木材３０Ｘ（又は第２縦木材３０Ｙ）を設けた構成と比較して、木製壁１０の軸剛性が向上する。
【００３２】
更に、横木材２０の両方の側面２０Ｓ１，２０Ｓ２側に第１縦木材３０Ｘ及び第２縦木材３０Ｙをそれぞれ設けたことにより、木製壁１０の表面側及び裏面側に第１格子枠４２Ｘ及び第２格子枠４２Ｙがそれぞれ形成される。これにより、木製壁１０の表面側及び裏面側に第１パネル材４０Ｘ及び第２パネル材４０Ｙをそれぞれ取り付けることができる。従って、横木材２０の一方の側面２０Ｓ１（又は側面２０Ｓ２）側にのみ第１縦木材３０Ｘ（又は第２縦木材３０Ｙ）を設けた構成と比較して、第１パネル材４０Ｘ及び第２パネル材４０Ｙの設置可能枚数が増加するため、木製壁１０のせん断剛性を向上させることができる。
【００３３】
また、本実施形態では、例えば、横木材２０に形成された横木側切欠き部２２Ｘの底側切欠き部２２Ｂと第１縦木材３０Ｘに形成された縦木側切欠き部３２とを互いに嵌め合わせることにより、横木材２０と第１縦木材３０Ｘとを連結するため、継手金物等が不要になる。従って、施工性が向上する。
【００３４】
更に、第１パネル材４０Ｘ及び第２パネル材４０Ｙを取り付ける第１格子枠４２Ｘ及び第２格子枠４２Ｙを適宜選択することにより、意匠性、採光性、通風性等を向上することができる。しかも、木製壁１０は文字通り木製であるため、仕上げ材等を省略できると共に、環境負荷を低減することができる。
【００３５】
次に、上記実施形態に係る木製壁の変形例について説明する。
【００３６】
上記実施形態では、例えば、横木材２０に形成されたパネル支持部２４Ｘ，２６Ｘの段部２４Ｂ，２６Ｂと第１縦木材３０Ｘに形成されたパネル支持部３６の段部３６Ｂとの間で第１パネル材４０Ｘの外周部を把持することにより、第１格子枠４２Ｘに第１パネル材４０Ｘを固定したがこれに限らない。例えば、横木材２０及び第１縦木材３０Ｘに第１パネル材４０Ｘを釘やビス、ボルト等で接合することにより、第１格子枠４２Ｘに第１パネル材４０Ｘを取り付けても良い。
【００３７】
具体的には、図５（Ａ）及び図５（Ｂ）に示される変形例では、第１パネル材８０Ｘは、隣接する横木材７０の一方の側面（表面）７０Ｓ１間に渡って配置されており、その上端部及び下端部が各側面７０Ｓ１に釘８２によって接合されている。また、第１パネル材８０Ｘは隣接する第１縦木材７２Ｘ間に渡って配置されており、横木材７０の側面７０Ｓ１と対向する第１縦木材７２Ｘの対向面７２Ｔに対し、その両側部が釘８２によって接合されている。これと同様に、第２パネル材８０Ｙは、横木材７０の側面７０Ｓ２、及び当該側面７０Ｓ２と対向する第２縦木材７２Ｙの対向面７２Ｔに釘８２によって接合されている。これにより、横木材７０及び第１縦木材７２Ｘによって形成された第１格子枠７４Ｘに第１パネル材８０Ｘが取り付けられると共に、横木材７０及び第２縦木材７２Ｙによって形成された第２格子枠７４Ｙに第２パネル材８０Ｙが取り付けられている。
【００３８】
また、図６（Ａ）及び図６（Ｂ）に示される変形例では、第１パネル材８４Ｘは、隣接する横木材７０の側面７０Ｓ１間に渡って配置されると共に、隣接する第１縦木材７２Ｘの対向面７２Ｔ間に渡って配置されており、その各角部が横木材７０の側面７０Ｓ１と第１縦木材７２Ｘの対向面７２Ｔとの間に配置されている。これと同様に、第２パネル材８４Ｙは、隣接する横木材７０の側面７０Ｓ２間に渡って配置されると共に、隣接する第２縦木材７２Ｙの対向面７２Ｔ間に渡って配置されており、その各角部が横木材７０の側面７０Ｓ２と第２縦木材７２Ｙの対向面７２Ｔとの間に配置されている。
【００３９】
これらの第１パネル材８４Ｘ及び第２パネル材８４Ｙの各角部には、横木材７０と第１縦木材７２Ｘ及び第２縦木材７２Ｙとの交差部を貫通するボルト８６が貫通されている。このボルト８６及びナット８８によって、横木材７０及び第１縦木材７２Ｘによって形成された第１格子枠７４Ｘに第１パネル材８４Ｘが取り付けられると共に、横木材７０及び第２縦木材７２Ｙによって形成された第２格子枠７４Ｙに第２パネル材８４Ｙが取り付けられている。
【００４０】
なお、第１パネル材８４Ｘが取り付けられていない第１格子枠７４Ｘでは、横木材７０と第１縦木材７２Ｘとの間に板状のスペーサ９０が適宜配置されている。これと同様に、第２パネル材８４Ｙが取り付けられていない第２格子枠７４Ｙでは、横木材７０と第２縦木材７２Ｙとの間に板状のスペーサ９０が適宜配置されている。
【００４１】
また、上記実施形態では、鉄骨造の上下の梁１２の間に木製壁１０を配置したが、コンクリート造、鉄筋コンクリート造等の梁の間に木製壁１０を配置しても良い。また、上記実施形態では、水平部材としての上下の梁１２の間に木製壁１０を配置したが、水平部材としての上下の床スラブの間に木製壁１０を配置しても良いし、梁１２と床スラブとの間に木製壁１０を配置しても良い。
【００４２】
更に、上記実施形態に係る木製壁１０は、間仕切り壁や意匠壁、耐力壁等の種々の壁に適用可能である。
【００４３】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００４４】
１０    木製壁
１２    梁（水平部材）
２０    横木材
３０Ｘ  第１縦木材（縦木材）
３０Ｙ  第２縦木材（縦木材）
４０Ｘ  第１パネル材（パネル材）
４０Ｙ  第２パネル材（パネル材）
４２Ｘ  第１格子枠（格子枠）
４２Ｙ  第２格子枠（格子枠）
６０    横木材
７０    横木材
７２Ｘ  第１縦木材（縦木材）
７２Ｙ  第２縦木材（縦木材）
７４Ｘ  第１格子枠（格子枠）
７４Ｙ  第２格子枠（格子枠）
８０Ｘ  第１パネル材（パネル材）
８０Ｙ  第２パネル材（パネル材）
８４Ｘ  第１パネル材（パネル材）
８４Ｙ  第２パネル材（パネル材）
【図１】
0005911696.tif 000002
【図２】
0005911696.tif 000003
【図３】
0005911696.tif 000004
【図４】
0005911696.tif 000005
【図５】
0005911696.tif 000006
【図６】
0005911696.tif 000007